(57)【要約】【課題】刈取装置をフリー状態とロック状態とに切替える場合、刈取装置が刈取作業中に浮き上がらないための相応の荷重を要し、又、この刈取装置の重量を重くすれば、上昇位置でロック状態にするときはクローラ走行装置側の重量を重くする形態となり、機体の重量バランスを保持するために全体重量が重くなり易く、操作性を低下するものである。【解決手段】伝動ケース１の左右両側部に張出して設けたスプロケット軸４の周りに、トラックフレーム５を嵌合支持し、伝動ケース１の上側には刈取フレーム９を装着して、この刈取フレーム９を前記スプロケット軸４の周りに上下回動可能に構成し、前記トラックフレーム５と刈取フレーム９との一側部には、前記刈取フレーム９がフリー状態と固定するロック状態とに切替えるロック機構１０を設け、刈取装置６をトラックフレーム５に対して下動附勢するスプリング１１を設けたことを特徴とする草刈機の構成とする。【選択図】図１
2014042504.tif 000002
【特許請求の範囲】
【請求項１】
走行伝動ケース（１）の左右両側部に張出してゴムクローラ（２）の前端部を掛け渡して駆動する駆動スプロケット（３）を設けたスプロケット軸（４）の周りに、トラックフレーム（５）の前端部を上下回動自在に嵌合支持し、前記走行伝動ケース（１）の上側には、前側に刈取装置（６）を有し、後側にはエンジン（７）とハンドルフレーム（８）を有した刈取フレーム（９）を装着して、この刈取フレーム（９）を前記スプロケット軸（４）の周りに上下回動可能に構成し、前記トラックフレーム（５）と刈取フレーム（９）との一側部には、前記刈取フレーム（９）が上下回動自在となるフリー状態と、この回動位置を固定するロック状態に切替えるロック機構（１０）を設け、前記刈取装置（６）をトラックフレーム（５）に対して下動附勢するスプリング（１１）を設けたことを特徴とする草刈機。
【請求項２】
前記ゴムクローラ（２）の後端部を掛け渡す後端転輪（１２）を左右両端部に軸装の転輪軸（１３）と、この転輪軸（１３）の両端部に固定のリヤフレーム（１４）とによって、平面視略コ字状形態の転輪軸フレーム（１５）を構成して、この転輪軸フレーム（１５）を前記トラックフレーム（５）の後端部に前後摺動可能に設けて、略方形状のクローラフレーム（１６）を構成すると共に、ゴムクローラ（２）の張圧力を調節可能に構成したことを特徴とする請求項１に記載の草刈機。
【発明の詳細な説明】
【技術分野】
【０００１】
この発明は、ゴムクローラを有して走行する草刈機に関し、機体の軽量化を図り、刈取作業を行い易くするものである。
【背景技術】
【０００２】
クローラ前端部の駆動スプロケット軸の周りに、刈取フレームを上下回動可能に支架させて、この刈取フレーム後方のハンドルを押し下げて前側の刈取装置を上昇することができ、この刈取装置部を刈取高さに下降して、この刈取装置の前側に配置の前輪を接地させて刈取走行する技術（例えば、特許文献１参照）が知られている。
【先行技術文献】
【特許文献】
【０００３】
【特許文献１】特開２０１２−５４３４号公報
【発明の概要】
【発明が解決しようとする課題】
【０００４】
刈取装置を地面に追従させて上下揺動させるフリー状態と、この刈取装置の昇降位置を高位置、又は低位置に固定するロック状態とに切替える場合、刈取装置が刈取作業中に刈取地面から浮き上がらないための相応の荷重を要し、又、この刈取装置の重量を重くすれば、上昇位置でロック状態にするときは、ロック状態での機体重心位置から後側の重量を重くして、刈取装置を上昇状態に保持させる必要性があることから、クローラ走行装置側の重量を重くする形態となり、機体の重量バランスを保持するために全体重量が重くなり易く、刈取作業の操作性を低下するものである。
【課題を解決するための手段】
【０００５】
請求項１に記載の発明は、走行伝動ケース１の左右両側部に張出してゴムクローラ２の前端部を掛け渡して駆動する駆動スプロケット３を設けたスプロケット軸４の周りに、トラックフレーム５の前端部を上下回動自在に嵌合支持し、前記走行伝動ケース１の上側には、前側に刈取装置６を有し、後側にはエンジン７とハンドルフレーム８を有した刈取フレーム９を装着して、この刈取フレーム９を前記スプロケット軸４の周りに上下回動可能に構成し、前記トラックフレーム５と刈取フレーム９との一側部には、前記刈取フレーム９が上下回動自在となるフリー状態と、この回動位置を固定するロック状態に切替えるロック機構１０を設け、前記刈取装置６をトラックフレーム５に対して下動附勢するスプリング１１を設けたことを特徴とする草刈機の構成とする。
【０００６】
エンジン７を駆動して左右のスプロケット軸４、及び駆動スプロケット３を経て左右のゴムクローラ２を回転して走行できる。又、刈取装置６を伝動駆動して草刈作業することができる。作業者はハンドルフレーム８のハンドルを把持して刈取フレーム９をスプロケット軸４の周りに上下回動して、前端部の刈取装置６の高さを高低に変えることができる。この刈取フレーム９の上下回動を行うときは、ロック機構１０をロック状態からフリー状態に解除して上下に変更操作する。この変更位置に刈取装置６を固定するときはロック機構１０をロック状態に操作する。
【０００７】
又、刈取装置６による草刈作用を行うときは、この刈取装置６を最下降位置に降ろした状態で、ロック機構１０をフリー状態に設定しておく。草刈作用時、刈取装置６が刈取地面の凹凸面に追従してスプロケット軸４の周りに上下回動しながら、略一定の刈取高さを維持する。このとき刈取装置６は、トラックフレーム５に対してスプリング１１によって刈取地面側（下側）へ張圧されていて、この刈取装置６の浮上揺動を抑制すると共に、刈取地面に対する刈取装置６の刈取高さ位置、及び刈取抵抗等を略一定に維持して、刈取地面に対する安定した刈取揺動追従を行わせる。
【０００８】
又、草刈機の単なる走行移動や、軟弱湿地等での刈取、走行等では、前記ロック機構１０をフリー状態からロック状態に切替えて走行できるが、このとき、刈取装置６がスプリング１１によって下側へ張圧されていても、草刈機全体としての重量は殆んど変わらないため、湿地等での草刈作業時に、このスプリング１１力によって、草刈機やクローラ２部等が刈取地面下に沈下し易くなるような現象は生じない。スプリング１１による刈取装置６の押圧力は、この反力としてクローラ２のトラックフレーム５で受けているため、草刈機全体としての重量、及びこの重量による押圧力は殆んど変わらない状態にあって、安定した刈取走行を行うことができる。
【０００９】
請求項２に記載の発明は、前記ゴムクローラ２の後端部を掛け渡す後端転輪１２を左右両端部に軸装の転輪軸１３と、この転輪軸１３の両端部に固定のリヤフレーム１４とによって、平面視略コ字状形態の転輪軸フレーム１５を構成して、この転輪軸フレーム１５を前記トラックフレーム５の後端部に前後摺動可能に設けて、略方形状のクローラフレーム１６を構成すると共に、ゴムクローラ２の張圧力を調節可能に構成したことを特徴とする。
【００１０】
前記のようにゴムクローラ２を巻き掛けるクローラフレーム１６は、スプロケット軸４の側端部に嵌合支持させる左右一対のトラックフレーム５と、転輪軸１３の両端部にリヤフレーム１４を連結して平面視コ字状形態の転輪軸フレーム１５とを構成して、このトラックフレーム５の後端部に、転輪フレーム１５のリヤフレーム１４を前後摺動可能に嵌合させて連結するものであるから、左右各トラックフレーム５がスプロケット軸４の周りに回動する形態であるにも拘らず、転輪軸フレーム１５は平面視で略コ字状形態の剛体的形態に構成されていて、クローラフレーム１６として、平面視で略方形状形態の軽量で、簡単な構成としている。そして、ゴムクローラ２による刈取走行では、刈取地面の凹凸面に対する円滑な追従性、走行性を維持する。又、刈取、及び操作性を高め、簡単な構成によって生産コストの低減化を図ることができる。
【発明の効果】
【００１１】
請求項１に記載の発明は、前記トラックフレーム５と刈取フレーム９との間に設けられるスプリング１１や、ロック機構１０等は、草刈機全体に対する構成重量比を比較的小さく構成することができ、このスプリング１１がトラックフレーム９に対して刈取装置６を常に下方へ張圧するものであるから、これらゴムクローラ２と刈刃装置６が同時に接地する場合に、前記スプリング１１力によって刈取装置６を地面へ押圧させて刈取地面からの浮上を防止するもので、草刈機全体や、刈取装置６部の重量等を増すことなく、又、バランスウエイト等特別の重量構成を設定することなく、草刈機全体の重量を軽量化して、刈取装置６のフリー状態、及びロック状態を切替えて、安定した刈取、走行を行わせることができる。又、前記スプリング１１と、ロック機構１０と、ゴムクローラ２とによる構成を簡潔化して、草刈作業性を高め、生産コストを低減することができる。
【００１２】
請求項２に記載の発明は、前記スプロケット軸４の左右両側部に嵌合支持するトラックフレーム５の後端部には、転輪軸フレーム１５の転輪軸１３の両端部に連結するリヤフレーム１４を前後摺動可能に取付けて、平面視で略方形状のクローラフレーム１６を構成するものであるから、前記転輪軸１３自体を剛体的にクローラフレーム１６構成の一部材として利用して、構成を簡単に、安価にすることができ、ゴムクローラ２に適応させて軽量化して、刈取、走行、及び操作性を高めることができる。
【図面の簡単な説明】
【００１３】
【図１】草刈機の側面図。
【図２】その平面図。
【図３】クローラフレーム部の分解状態を示す平面図。
【図４】刈取フレームの上下回動状態を示す側面図。
【図５】刈取装置、及びクローラの伝動装置を示す側面図。
【図６】刈取装置の昇降状態を示す側面図。
【図７】草刈機の刈取走行状態を示す側面図。
【発明を実施するための形態】
【００１４】
図面に基づいて、草刈機は、左右一対のゴムクローラ２を巻き掛けたクローラフレーム１６に、刈取装置６や、エンジン７、及びハンドルフレーム８等を配置した刈取フレーム９を支架させて構成している。クローラフレーム１６は、走行伝動ケース１の左右両側に張出すアクスルハウジング１７にスプロケット軸４を軸装し、このスプロケット軸４の外端部に駆動スプロケット３を取付け、このスプロケット軸４の外周部、又はアクスルハウジング部の外周部にトラックフレーム５の前端部のボス部１８を嵌合して、スプロケット軸４の周りに回動自在に連結支持している。前記左右一対のトラックフレーム５は角パイプ材から構成して、後端部から転輪軸フレーム１５のリヤフレーム１４を嵌挿して前後摺動可能に連結する。又、左右のスプロケット軸４は、走行伝動ケース１内部の変速ギヤ、正逆回転切替ギヤ、サイドクラッチギヤ等のギヤ伝動機構を経て伝動回転する形態である。
【００１５】
前記転輪軸フレーム１５は、左右両端部に回転自在の後端転輪１２を有して、この内側部に角パイプ材からなるリヤフレーム１４の後端部を転輪軸１３により一体的に固定して平面視略コ字形状の剛体形態に形成している。この左右のリヤフレーム１４を前記トラックフレーム５の後端部に嵌合挿通して、平面視で略方形状のクローラフレーム１６を構成する。前記トラックフレーム５の断面はリヤフレーム１４の断面よりも大きく形成して、リヤフレーム１４を前後に摺動移動できる形態として、転輪軸１３部に形成のボルトブラケット１９に螺挿のテンションボルト２０の前端を、トラックフレーム５のストッパブラケット２１に押し当てて、このテンションボルト２０を回動することにより、トラックフレーム５に対する転輪軸フレーム１５を前後移動させて、駆動スプロケット３と後端転輪１２との間に亘って掛け渡すゴムクローラ２の張圧度を調節することができる。
【００１６】
前記ゴムクローラ２は、天然ゴム、乃至合成ゴム等を主体として無端帯形態に成形したもので、外周面には刈取地面に踏圧するラグを形成し、クローラ幅の中央部に沿って一定間隔にスプロケット３歯の噛合する噛合穴が形成され、この噛合穴の左右両側部にはこのクローラ２と同長さの無端ワイヤーを、クローラ芯部材として埋設し、クローラの伸びを防止している。又、各噛合穴の前後間隔部には、芯金を埋設して、前記ワイヤーで連結した形態とすることもできる。このようなゴムクローラ２は、厚さを比較的薄く形成して、軽量化でき、刈取地面に対する接地性、追従性が良好で、円滑な走行と、刈取、走行操作を行うことができるものである。
【００１７】
前記走行伝動ケース１の上側部に刈取フレーム９を一体的に構成して、この刈取フレーム９の前方下部には、刈取装置６を配置し、後部にはエンジン７、及びハンドルフレーム８を配置する。刈取装置６は、左右横方向に沿う刈刃軸２５の周りにフレールナイフ２６を配置して、このフレールナイフ２６を刈刃軸２５の周りに回転することによって、底部の刈取ガイド２７に案内される草を刈取ることができる。前記刈取ガイド２７は、刈刃軸２５周りに回転するフレールナイフ２６の回転方向に沿うように側面視略円弧状に形成し、この刈刃軸２５の方向には、各刈取ガイド２７間に適宜感覚の芝草を案内するための間隔部を形成し、上側には刈取カバー２８を設けている。
【００１８】
前記走行伝動ケース１の上側後方には、エンジン７を設置して、このエンジン７のエンジン軸２９と走行伝動ケース１の入力軸３０との間をベルト３１連動して、テンションクラッチプーリ３２の操作により、走行伝動クラッチを入り切りする形態としている。又、前記刈取フレーム９の前側中間部には、カウンタ軸３３を設けて、このカウンタ軸３３とエンジン軸２９との間にテンションクラッチプーリ３４を有したベルト３５を掛け渡すと共に、このカウンタ軸３３と刈刃軸２５との間にテンションプーリ３６を有したベルト３７を掛け渡して、刈取装置６の刈刃軸２５を回転伝動するように構成している。
【００１９】
前記刈取フレーム９のカウンタ軸３３部上側にハンドルブラケット３８を介して、ハンドルフレーム８を取付け、このハンドルフレーム８の後端把持部３９を上下に回動調節したり、左右に回動調節可能に構成している。前記把持部３９の近くには、サイドクラッチレバー４０や、走行クラッチレバー４１、乃至刈取クラッチレバー４２、変速レバー４３、ロックレバー４４等を設けて、刈取走行操作を可能に構成している。
【００２０】
ここにおいて、この草刈機は、走行伝動ケース１の左右両側部に張出してゴムクローラ２の前端部を掛け渡して駆動する駆動スプロケット３を設けたスプロケット軸４の周りに、トラックフレーム５の前端部を上下回動自在に嵌合支持し、前記走行伝動ケース１の上側には、前側に刈取装置６を有し、後側にはエンジン７とハンドルフレーム８を有した刈取フレーム９を装着して、この刈取フレーム９を前記スプロケット軸４の周りに上下回動可能に構成し、前記トラックフレーム５と刈取フレーム９との一側部には、前記刈取フレーム９が上下回動自在となるフリー状態と、この回動位置を固定するロック状態に切替えるロック機構１０を設け、前記刈取装置６をトラックフレーム５に対して下動附勢するスプリング１１を設けたことを特徴とする草刈機の構成とする。
【００２１】
エンジン７を駆動して左右のスプロケット軸４、及び駆動スプロケット３を経て左右のゴムクローラ２を回転して走行できる。又、刈取装置６を伝動駆動して草刈作業することができる。作業者はハンドルフレーム８のハンドルを把持して刈取フレーム９をスプロケット軸４の周りに上下回動して、前端部の刈取装置６の高さを高低に変えることができる。この刈取フレーム９の上下回動を行うときは、ロック機構１０をロック状態からフリー状態に解除して上下に変更操作する。この変更位置に刈取装置６を固定するときはロック機構１０をロック状態に操作する。
【００２２】
又、刈取装置６による草刈作用を行うときは、この刈取装置６を最下降位置に降ろした状態で、ロック機構１０をフリー状態に設定しておく。草刈作用時、刈取装置６が刈取地面の凹凸面に追従してスプロケット軸４の周りに上下回動しながら、略一定の刈取高さを維持する。このとき刈取装置６は、トラックフレーム５に対してスプリング１１によって刈取地面側（下側）へ張圧されていて、この刈取装置６の浮上揺動を抑制すると共に、刈取地面に対する刈取装置６の刈取高さ位置、及び刈取抵抗等を略一定に維持して、刈取地面に対する安定した刈取揺動追従を行わせる。
【００２３】
又、草刈機の単なる走行移動や、軟弱湿地等での刈取、走行等では、前記ロック機構１０をフリー状態からロック状態に切替えて走行できるが、このとき、刈取装置６がスプリング１１によって下側へ弾圧されていても、草刈機全体としての重量は殆んど変わらないため、湿地等での草刈作業時に、このスプリング１１力によって、草刈機やクローラ２部等が刈取地面下に沈下し易くなるような現象は生じない。スプリング１１による刈取装置６の押圧力は、この反力としてクローラ２のトラックフレーム５で受けているため、草刈機全体としての重量、及びこの重量による押圧力は殆んど変わらない状態にあって、安定した刈取走行を行うことができる。
【００２４】
更に、前記ゴムクローラ２の後端部を掛け渡す後端転輪１２を左右両端部に軸装の転輪軸１３と、この転輪軸１３の両端部に固定のリヤフレーム１４とによって、平面視略コ字状形態の転輪軸フレーム１５を構成して、この転輪軸フレーム１５を前記トラックフレーム５の後端部に前後摺動可能に設けて、略方形状のクローラフレーム１６を構成すると共に、ゴムクローラ２の張圧力を調節可能に構成したことを特徴とする。
【００２５】
前記のようにゴムクローラ２を巻き掛けるクローラフレーム１６は、スプロケット軸４の側端部に嵌合支持させる左右一対のトラックフレーム５と、転輪軸１３の両端部にリヤフレーム１４を連結して平面視コ字状形態の転輪軸フレーム１５とを構成して、このトラックフレーム５の後端部に、転輪フレーム１５のリヤフレーム１４を前後摺動可能に嵌合させて連結するものであるから、左右各トラックフレーム５がスプロケット軸４の周りに回動する形態であるにも拘らず、転輪軸フレーム１５は平面視で略コ字状形態の剛体的形態に構成されていて、クローラフレーム１６として、平面視で略方形状形態の軽量で、簡単な構成としている。そして、ゴムクローラ２による刈取走行では、刈取地面の凹凸面に対する円滑な追従性、走行性を維持する。又、刈取、及び操作性を高め、簡単な構成によって生産コストの低減化を図ることができる。
【００２６】
前記のような刈取フレーム９の支持構成において、作業者が把持部３９を把持して、上下方向へ回動操作すると、刈取フレーム９は、前記走行伝動ケース１がスプロケット軸４の周りに回動されて、前端刈取装置６の高さが高低に変更される。前記ベルト３５や、テンションクラッチプーリ３４等を配置する側とは反対側の位置に、ロック機構１０を構成している。左右一側のトラックフレーム５上に沿って、スプロケット軸４周りに円弧状形態のガイドプレート５０を一体的に構成し、このガイドプレート５０の外周部に、前記ロックレバー４４の操作によって出没操作できるロックピン５１を沿わせて回動できるようにして、このロックピン５１を刈取フレーム９の側面に構成している。ハンドルフレーム８部のロックレバー４４を把持して引くと、ワイヤー５４連動によってロックピン５１を引込めて、ガイドプレート５０のピン穴５２との係合を外して、刈取フレーム９をスプロケット軸４周りに上下に回動操作することができる。このとき、ロックレバー４４を引き操作した位置は、解除レバー５３によって係止保持されて、ロックピン５１をピン穴５２から外したフリー状態の位置を維持することができる。このフリー状態からロックピン５１をいずれかのピン穴５２に係合させてロック状態にするときは、前記解除レバー５３を引くことによって、ロックレバー４４がロック状態位置に作動できる状態となるから、刈取フレーム９を上下回動することにより、ロックピン５１を操作目的位置のピン穴５２に係合させて、この刈取フレーム９の回動位置をロック状態にすることができる。６０は刈取フレーム９の回動範囲を規制するストッパである。
【００２７】
前記左右の各トラックフレーム５の前端部には、前記ボス１８から前側へ突出するアーム５５を設け、このアーム５５とこの上方に位置する刈取フレーム９との間に適宜圧の引っ張りスプリング１１を設け、刈取装置６をクローラフレーム１６に対して下側の刈取地面側へ押圧附勢させて設ける。前記スプリング１１で刈取装置６を刈取地面側へ下圧するため、刈取装置６及び草刈機としての構成重量を軽くすることができ、刈取作業時の刈取地面の凹凸変化に対する追従性を高めることができる。
【００２８】
エンジン７の駆動によって、ベルト３１及びテンションクラッチプーリ３２を介して走行伝動ケース１の入力軸３０が伝動されて、この走行伝動ケース１のギヤ機構を経てスプロケット軸４、及びこのスプロケット３が伝動回転されて、左右のゴムクローラ２が回転され、このゴムクローラ２の接地回転によって刈取地面を走行する。又、前記エンジン軸２９からベルト３５、及びテンションクラッチプーリ３４を介してカウンタ軸３３を伝動回転し、更にベルト３７を経て刈刃軸２５を伝動回転し、更にベルト３７を経て刈刃軸２５を伝動回転し、刈取装置６のフレールナイフ２６を回転して芝草の刈取を行うことができる。
【００２９】
刈取作業を行うときは、刈取装置６を最下位置に下降させて、刈取ガイド２７の下面が刈取地面に摺接して刈取進行するようにフリー状態に操作しておく。ロックレバー４４を把持してロックピン５１を、ガイドプレート５０のピン穴５２との係合を外すと、この係合を外したロックピン５１のフリー状態位置が解除レバー５３の係合によって継続される。このフリー状態では刈取装置６は、スプリング１１によって常時刈取地面側へ張圧されているため、（図６（Ｂ）参照）、刈取地面から浮上し難く、一定の刈取高さに刈取推進され、安定した草刈作用を行わせることができる。しかも、刈取地面に凹凸変化があると、ゴムクローラ２の走行面部と刈取装置６の刈取底面部とを各々前後の変化刈取地面に沿うように接地させて（図７参照）、推進しながら、刈取地面の凹凸変化に追従しながら、刈取高さを一定に維持するように刈取走行することができる。又、草刈機を路面走行したり、湿地のように刈取地面より深い地面や、低い地面を走行しながら草刈作業を行ったり、密集した草の刈取作業を行う場合は、前記ロックレバー４４の操作により、ロックピン５１の係合を外してフリー状態として、ハンドルフレーム５を押し下げて刈取装置６を適宜高さ位置に上昇させて、解除レバー５３を操作してロックピン５１を上昇位置のピン穴５２に係合させると、刈取装置６を高位置にロック状態に維持して（図６−（Ａ）参照）、走行し、又は刈取走行することができる。
【符号の説明】
【００３０】
１    走行伝動ケース
２    クローラ
３    駆動スプロケット
４    スプロケット軸
５    トラックフレーム
６    刈取装置
７    エンジン
８    ハンドルフレーム
９    刈取フレーム
１０  ロック機構
１１  スプリング
１２  後端転輪
１３  転輪軸
１４  リヤフレーム
１５  転輪軸フレーム
１６  クローラフレーム
【図１】
2014042504.tif 000003
【図２】
2014042504.tif 000004
【図３】
2014042504.tif 000005
【図４】
2014042504.tif 000006
【図５】
2014042504.tif 000007
【図６】
2014042504.tif 000008
【図７】
2014042504.tif 000009